【手続補正書】
【提出日】平成26年7月3日(2014.7.3)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
移動可能に設けられた移動体と、
前記移動体に対し回動軸を介して支持された可動体と、
を備え、
前記可動体は、前記移動体の移動に応じて位置を移動しながら前記回動軸を中心として回動する
ことを特徴とする遊技機。
【手続補正２】
【補正対象書類名】明細書
【補正対象項目名】０００１
【補正方法】変更
【補正の内容】
【０００１】
本発明は、遊技を行うことが可能な遊技機に関する。
【手続補正３】
【補正対象書類名】明細書
【補正対象項目名】０００７
【補正方法】変更
【補正の内容】
【０００７】
前記課題を解決するために、本発明の請求項１に記載の遊技機は、
遊技を行うことが可能な遊技機であって、
移動可能に設けられた移動体と、
前記移動体に対し回動軸を介して支持された可動体と、
を備え、
前記可動体は、前記移動体の移動に応じて位置を移動しながら前記回動軸を中心として回動する
ことを特徴としている。
この特徴によれば、可動体の動きを多様化して遊技の興趣を高めることができる。
本発明の手段１の遊技機は、
遊技用価値（パチンコ球）を用いて遊技を行うことが可能な遊技機（パチンコ遊技機１）であって、
前記遊技機の所定箇所に配設される可動体（可動体７０１の第２部材７０４）と、
前記可動体を少なくとも一方（右側方）から支持する移動体（７２３Ｒ）と、
前記可動体と前記移動体とを連結する連結軸（連結棒７６５Ｒ，回動部材７６０）と、
前記移動体を所定方向（上方または下方）に移動案内する案内手段（ガイド部７２２Ｒ、ガイドシャフト７４０ａ，７４０ｂ）と、
前記移動体を所定方向（上方または下方）に駆動する駆動手段（可動モータ８５、駆動ギヤ７２６、第１ギヤ７３２Ｒ、第２ギヤ７３３Ｒ、ベルト７３５Ｒ）と、
前記駆動手段の駆動による前記移動体の移動に応じて前記連結軸を回動させる軸回動手段（回動部材７６０、傾斜部材７８０の傾斜面７８１）と、
を備え、
前記可動体は、
前記連結軸に対して該連結軸の軸心周りに相対回動不能に固定され（第２部材７０４に対して連結棒７６５Ｒは相対回動不能に固定されている）、
前記駆動手段の駆動による前記移動体の移動に応じて位置を移動しながら回動する（図２２参照）
ことを特徴としている。
この特徴によれば、可動体は、移動体の移動に伴い所定方向に移動するだけでなく、連結軸の軸心周りに回動されることで動きが多様化されるため、遊技の興趣を高めることができるばかりか、軸回動手段は、移動体と可動体とを連結する連結軸を回動させることで可動体を回動させることにより、可動体を回動させるための軸を連結軸とは別個に設ける必要がないとともに、移動体を移動させる駆動手段とは別個に可動体を回動させるための駆動手段を設ける必要がないため、構造を簡素化して製造コストを低減することができる。
尚、前記遊技用価値とは、いわゆるパチンコ球やメダル等の遊技媒体やクレジット等の価値を含む。
【手続補正４】
【補正対象書類名】明細書
【補正対象項目名】０００８
【補正方法】変更
【補正の内容】
【０００８】
本発明の手段２の遊技機は、手段１に記載の遊技機であって、
前記軸回動手段（回動部材７６０、傾斜部材７８０の傾斜面７８１）は、
前記案内手段（ガイド部７２２Ｒ、ガイドシャフト７４０ａ，７４０ｂ）の案内方向（上下方向）に向けて延設され、該案内手段の案内方向及び前記連結軸（連結棒７６５Ｒ，回動部材７６０）の軸心方向（左右方向）に対して直交する方向（前後方向）へ傾斜する傾斜面（傾斜部材７８０の傾斜面７８１）と、
前記連結軸の周面に先端（ガイドローラ７６３）が前記傾斜面に当接するように突設され、前記駆動手段（可動モータ８５、駆動ギヤ７２６、第１ギヤ７３２Ｒ、第２ギヤ７３３Ｒ、ベルト７３５Ｒ）の駆動による前記移動体（７２３Ｒ）の移動に応じて前記傾斜面に対して起立することにより前記連結軸を回動させる突出部（回動部材７６０の回動支持片７６２）と、
から構成される
ことを特徴としている。
この特徴によれば、移動体の移動に応じて突出部の先端が傾斜面に沿って移動して連結軸と傾斜面との相対距離が変化するのに応じて該突出部が傾斜面に対して起立または倒伏することで連結軸が回動されるため、軸回動手段を簡単な構造で構成することができるばかりか、傾斜面の傾斜角度や傾斜位置を適宜変えることで、可動体の回動角度や回動開始位置を容易に変更することができる。
【手続補正５】
【補正対象書類名】明細書
【補正対象項目名】０００９
【補正方法】変更
【補正の内容】
【０００９】
本発明の手段３の遊技機は、手段１または２に記載の遊技機であって、
前記可動体（可動体７０１の第２部材７０４）の近傍に配設される従可動体（第１部材７０３及び第３部材７０５ａ，７０５ｂ）と、
前記可動体と前記従可動体とに連結し、前記可動体の回動に応じて該可動体に対する該従可動体の相対姿勢を変更させるリンク機構（リンク片７１０ａ，７１０ｂ、ガイド溝７９０ａ，７９０ｂ、ガイド部７０８ａ，７０８ｂ、ガイド溝７０７ａ，７０７ｂ）と、
を備える（図２２参照）
ことを特徴としている。
この特徴によれば、可動体が回動するだけでなく、可動体に対する従可動体の姿勢が変更するので、可動体及び従可動体の動作を多様化することができるばかりか、可動体及び従可動体全体の形態に変化を持たせることができる。
【手続補正６】
【補正対象書類名】明細書
【補正対象項目名】００１０
【補正方法】変更
【補正の内容】
【００１０】
本発明の手段４の遊技機は、手段１〜３のいずれかに記載の遊技機であって、
前記可動体（可動体７０１の第２部材７０４）を前記一方（右側方）に対向する他方（左側方）から支持する第２移動体（移動体７２３Ｌ）と、
前記案内手段（ガイド部７２２Ｒ、ガイドシャフト７４０ａ，７４０ｂ）による前記移動体の案内方向と同じ方向（上下方向）に前記第２移動体を移動案内する第２案内手段（ガイド部７２２Ｌ、ガイドシャフト７４０ａ，７４０ｂ）と、
前記連結軸（連結棒７６５Ｒ，回動部材７６０）を含み、前記移動体（７２３Ｒ）と前記可動体とを、前記案内手段及び前記第２案内手段の案内方向に対し直交する方向に相対移動可能に連結する第１連結手段（連結棒７６５Ｒ，回動部材７６０の連結穴７６６、連結ボス７５６）と、
前記第２移動体と前記可動体とを、前記案内手段及び前記第２案内手段の案内方向（上下方向）に対し直交する方向（左右方向）に相対移動可能に連結する第２連結手段（連結棒７６５Ｌ，連結穴７７０）と、
をさらに備え、
前記駆動手段（可動モータ８５、駆動ギヤ７２６、第１ギヤ７３２Ｌ，７３２Ｒ、第２ギヤ７３３Ｌ，７３３Ｒ、ベルト７３５Ｌ，７３５Ｒ、連動シャフト７３０）は、前記移動体及び前記第２移動体双方を前記案内手段及び前記第２案内手段の案内方向（上下方向）に駆動し、
前記第１連結手段及び前記第２連結手段のうち一方が許容する相対移動量は他方が許容する相対移動量よりも大きい（図２１参照）
ことを特徴としている。
この特徴によれば、可動体は、案内手段により移動案内される移動体及び第２案内手段により移動案内される第２移動体に連結して支持されていることにより、移動時における位置ずれやガタツキが生じにくい。また、可動体や移動体及び第２移動体の成型及び組み付け等の精度や、移動体と第２移動体との駆動タイミング等に誤差が生じた場合、可動体が移動体及び第２移動体に対して相対移動することにより誤差が吸収されるとともに、第１連結手段及び第２連結手段のうち一方が許容する相対移動量が他方が許容する相対移動量よりも小さいことにより移動体または第２移動体に対する可動体の大きな位置ずれが防止されるため、可動体をガタツキなくスムーズに移動させることができる。
【手続補正７】
【補正対象書類名】明細書
【補正対象項目名】００１１
【補正方法】変更
【補正の内容】
【００１１】
本発明の手段５の遊技機は、手段４に記載の遊技機であって、
前記第２連結手段（連結棒７６５Ｌ，連結穴７７０）が許容する相対移動量は前記第１連結手段（連結棒７６５Ｒ，回動部材７６０の連結穴７６６、連結ボス７５６）が許容する相対移動量よりも大きく（図２１参照）、
前記軸回動手段（回動部材７６０、傾斜部材７８０の傾斜面７８１）は、前記駆動手段（可動モータ８５、駆動ギヤ７２６、第１ギヤ７３２Ｌ，７３２Ｒ、第２ギヤ７３３Ｌ，７３３Ｒ、ベルト７３５Ｌ，７３５Ｒ、連動シャフト７３０）の駆動による前記移動体（移動体７２３Ｒ）の移動に応じて前記第１連結手段（連結棒７６５Ｒ，回動部材７６０の連結穴７６６、連結ボス７５６）の前記連結軸（連結棒７６５Ｒ，回動部材７６０）を回動させる
ことを特徴としている。
この特徴によれば、第２連結手段よりも相対移動量が小さい第１連結手段の連結軸を回動させるため、移動体の移動により生じる動力を連結軸に確実に伝達することができる。
【手続補正８】
【補正対象書類名】明細書
【補正対象項目名】００１２
【補正方法】変更
【補正の内容】
【００１２】
本発明の手段６の遊技機は、手段１〜３のいずれかに記載の遊技機であって、
前記可動体（可動体７０１の第２部材７０４）を前記一方（右側方）に対向する他方（左側方）から支持する第２移動体（移動体７２３Ｌ）と、を含み、
前記案内手段（ガイド部７２２Ｒ、ガイドシャフト７４０ａ，７４０ｂ）による前記移動体の案内方向と同じ方向（上下方向）に前記第２移動体を移動案内する第２案内手段（ガイド部７２２Ｌ、ガイドシャフト７４０ａ，７４０ｂ）と、
前記連結軸（連結棒７６５Ｒ，回動部材７６０）を含み、前記移動体と前記可動体とを、前記案内手段及び前記第２案内手段の案内方向に対し直交する方向に相対移動不能に連結する第１連結手段（変形例としての連結棒７６５Ｒ，回動部材７６０の連結穴７６６、連結ボス７５６）と、
前記第２移動体と前記可動体とを、前記案内手段及び前記第２案内手段の案内方向（上下方向）に対し直交する方向（左右方向）に相対移動可能に連結する第２連結手段（連結棒７６５Ｌ，連結穴７７０）と、
をさらに備え、
前記駆動手段（可動モータ８５、駆動ギヤ７２６、第１ギヤ７３２Ｌ，７３２Ｒ、第２ギヤ７３３Ｌ，７３３Ｒ、ベルト７３５Ｌ，７３５Ｒ、連動シャフト７３０）は、前記移動体及び前記第２移動体双方を前記案内手段及び前記第２案内手段の案内方向（上下方向）に駆動する
ことを特徴としている。
この特徴によれば、可動体は、案内手段により移動案内される移動体及び第２案内手段により移動案内される第２移動体に連結して支持されていることにより、移動時における位置ずれやガタツキが生じにくい。また、可動体や移動体及び第２移動体の成型及び組み付け等の精度や、移動体と第２移動体との駆動タイミング等に誤差が生じた場合、可動体が移動体に対して固定されていることで大きな位置ずれが防止されるとともに、第２移動体に対して相対移動することにより誤差が吸収されるため、可動体をガタツキなくスムーズに移動させることができる。